(57)【要約】【課題】見切り板に対する表示部の画像表示位置を、簡便な方法で精度よく位置合わせすることが可能な携帯型電子機器、画像表示位置合わせ方法、プログラムを提供する。【解決手段】携帯型電子機器としての生体情報検出装置１は、画像を表示する表示領域７０ａを有する表示部７０と、表示領域７０ａの法線方向からの平面視において、表示領域７０ａと重なる重複部を有する突出部としての見切り板７５と、表示部７０の表示を制御する表示制御部２３０と、表示部７０および表示制御部２３０を有し、人体に装着可能なケース部２０と、を備え、表示制御部２３０は、表示部７０に位置合わせパターン１５０を表示させ、位置合わせパターン１５０と見切り板７５との位置関係の評価を実行し、その位置関係が所定の条件を満たさない場合には、表示部７０の表示領域７０ａの中心位置を変更することを特徴とする。【選択図】図２
2017191123.tif 000002
【特許請求の範囲】
【請求項１】
画像を表示する表示領域を有する表示部と、
前記表示領域の法線方向からの平面視において、前記表示領域と重なる重複部を有する突出部と、
前記表示部の表示を制御する表示制御部と、
前記表示部、および前記表示制御部を有し、人体に装着可能なケース部と、を備え、
前記表示制御部は、
前記表示部に位置合わせパターンを表示させ、
前記位置合わせパターンと前記突出部との位置関係の評価を実行し、前記位置関係が所定の条件を満たさない場合には、前記表示部の前記表示領域の中心位置を変更することを特徴とする携帯型電子機器。
【請求項２】
請求項１に記載の携帯型電子機器において、
前記表示制御部は、
前記突出部の内周の中心位置と、前記位置合わせパターンの中心とのずれ量が所定値を越えた場合に、前記表示領域の中心位置を変更することを特徴とする携帯型電子機器。
【請求項３】
請求項１に記載の携帯型電子機器において、
前記表示制御部は、
前記位置関係の評価として、前記突出部の内周と、前記位置合わせパターンとで形成される隙間の片寄り度合を評価することを特徴とする携帯型電子機器。
【請求項４】
請求項１または２に記載の携帯型電子機器において、
前記表示制御部は、
前記位置合わせパターンの表示位置を変更し、
前記突出部の内周の中心と、前記位置合わせパターンの中心とのずれ量が、最小となる位置を前記表示領域の中心位置として設定することを特徴とする携帯型電子機器。
【請求項５】
請求項１または３に記載の携帯型電子機器において、
前記突出部の内周と、前記位置合わせパターンとで形成される隙間は、前記表示領域内に複数形成され、
前記表示制御部は、
前記複数か所の隙間の前記片寄り度合が最小となる位置を、前記表示領域の中心位置として設定することを特徴とする携帯型電子機器。
【請求項６】
請求項１〜５のいずれか一項に記載の携帯型電子機器において、
前記位置合わせパターンは、第１直線と、該第１直線と直交する第２直線とが、それぞれ中点で交差する十字パターンを含むことを特徴とする携帯型電子機器。
【請求項７】
請求項６に記載の携帯型電子機器において、
前記位置合わせパターンは、前記第１直線の両端部に配置され前記第２直線と平行な第１位置合わせパターンと、前記第２直線の両端部に配置され前記第１直線と平行な第２位置合わせパターンと、を含むことを特徴とする携帯型電子機器。
【請求項８】
請求項７に記載の携帯型電子機器において、
前記位置合わせパターンは、前記第１位置合わせパターンと平行な第３パターンと、前記第２位置合わせパターンと平行な第４パターンと、を含むことを特徴とする携帯型電子機器。
【請求項９】
請求項１〜８のいずれか一項に記載の携帯型電子機器において、
前記ケース部は、運動量および生体情報の少なくとも一方を検出する検出部を備え、
前記表示制御部は、
前記運動量および前記生体情報の少なくとも一方に対応する目標情報を取得し、
前記検出部の検出結果と前記目標情報とを用いて目標達成度合いを評価し、前記突出部の内周に沿って延伸する表示パターンの長さを変えて表示させることによって前記目標達成度合いを示すことを特徴とする携帯型電子機器。
【請求項１０】
請求項１〜９のいずれか一項に記載の携帯型電子機器において、
前記突出部は、見切り板であることを特徴とする携帯型電子機器。
【請求項１１】
請求項１〜９のいずれか一項に記載の携帯型電子機器において、
前記表示部及び前記表示制御部を格納し、前記突出部を有するケース部を備えることを特徴とする携帯型電子機器。
【請求項１２】
請求項１〜１１のいずれか一項に記載の携帯型電子機器における前記表示領域に表示させる画像の表示位置を所定の位置に合わせる画像表示位置合わせ方法であって、
前記表示部に前記位置合わせパターンを表示させることと、
前記突出部と、前記位置合わせパターンとの位置関係の評価を実行することと、
前記位置関係が所定の条件を満たさない場合に、前記表示部の前記表示領域の中心位置を変更することと、
を含むことを特徴とする画像表示位置合わせ方法。
【請求項１３】
請求項１２に記載の画像表示位置合わせ方法をコンピューターに実行させるプログラム。
【発明の詳細な説明】
【技術分野】
【０００１】
本発明は、携帯型電子機器、その表示部に表示する画像の画像表示位置合わせ方法、および、当該画像表示位置合わせ方法をコンピューターに実行させるプログラムに関する。
【背景技術】
【０００２】
近年、センシング技術の向上により、腕時計型の活動計など、携帯型電子機器が広く用いられるようになってきている。活動計に用いられるセンサーは、加速度センサー、ジャイロセンサー、ＧＰＳ（Global Positioning System）等があり、これらのようなセンサーを用いることにより、ユーザーの身体の動きや、位置、移動距離、移動経路等の情報を取得することができる。また、近年の活動計では、ユーザーの生体活動についてもセンシングするニーズが高まっており、例えば、活動計に脈波センサーを設けて、ユーザーの脈拍数や脈拍間隔等の脈波情報を取得して表示することなどが行われる。
【０００３】
携帯型の活動計において、取得した脈波情報などを表示する表示部にはＬＣＤ（Liquid Crystal Display）が好適に用いられる。ＬＣＤは、センサーやＬＣＤの表示制御部などを有する筐体としてのケース部の所定の位置に位置合わせして配置される。例えば、特許文献１に、ＬＣＤを備えた電子機器の操作パネルの製造工程において、操作パネルを構成する筐体に対するＬＣＤの位置合わせを正確に行える位置合わせ治具、および、それを用いたＬＣＤ位置合わせ方法が紹介されている。
【先行技術文献】
【特許文献】
【０００４】
【特許文献１】特開平１１−２４９０９７号公報
【発明の概要】
【発明が解決しようとする課題】
【０００５】
腕時計型の活動計などの携帯型電子機器において、表示部は、筐体としてのケース部に配置されたＬＣＤと、そのＬＣＤ上に配置され、ＬＣＤの画像を表示する表示領域よりも小さい透光領域を有する見切り板とを含み、ユーザーが画像を視認できる領域は、見切り板の透光領域になる。即ち、ユーザーは、枠状または枠状の見切り板の内周で見切る領域の画像を視認できることになる。
近年、携帯型電子機器には、センサーの検出結果や、それに基づく警告やアドバイスなどの種々の情報を表示部に表示させる要求が高まってきており、見切り板の内周近くまでの広い領域に情報表示をさせる必要が出てきているため、ケース部に対するＬＣＤおよび見切り板の組立位置の精度が高く要求されている。
しかしながら、特許文献１に記載のＬＣＤ位置合わせ治具は、ケース部に対するＬＣＤの位置合わせを行うものであり、ＬＣＤと見切り板との位置合わせをするためには、さらに複雑な位置合わせ機構を付与する必要がある。
また、ＬＣＤと見切り板とにより表示部を構成する場合には、ケース部に対してＬＣＤおよび見切り板を所定の位置関係にて組立てるためには、各部品の外形寸法精度や部品どうしの組み込み位置精度が高く要求され、それらの精度が確保できずに表示不良となったり、各部品の製造歩留りが低下してしまったりする虞があるという課題があった。
【課題を解決するための手段】
【０００６】
本発明は、上述の課題の少なくとも一部を解決するためになされたものであり、以下の形態または適用例として実現することが可能である。
【０００７】
［適用例１］  本適用例にかかる携帯型電子機器は、画像を表示する表示領域を有する表示部と、前記表示領域の法線方向からの平面視において、前記表示領域と重なる重複部を有する突出部と、前記表示部の表示を制御する表示制御部と、前記表示部、および前記表示制御部を有し、人体に装着可能なケース部と、を備え、前記表示制御部は、前記表示部に位置合わせパターンを表示させ、前記位置合わせパターンと前記突出部との位置関係の評価を実行し、前記位置関係が所定の条件を満たさない場合には、前記表示部の前記表示領域の中心位置を変更することを特徴とする。
【０００８】
本適用例によれば、携帯型電子機器の表示部に位置合わせパターンを表示させ、位置合わせパターンと突出部との位置関係の評価を実行し、その位置関係が所定の条件を満たさない場合には、表示部の表示領域の中心位置を位置合わせパターンの中心に合わせることができる。これにより、機器の組み立て時に、表示部に表示する画像と突出部との位置関係の精度を、過度に求める必要がなくなる。
したがって、各部品の外形等の精度を高く求めたり、携帯型電子機器の表示部の組立て精度を高くするために特殊な位置合わせ治具を用いたりすることなく、突出部の内周により形成される画像可視領域の中心と、画像の中心とが精度よく位置合わせされた表示部を備えた携帯型電子機器を提供することができる。
【０００９】
［適用例２］  上記適用例にかかる携帯型電子機器において、前記表示制御部は、前記突出部の内周の中心位置と、前記位置合わせパターンの中心とのずれ量が所定値を越えた場合に、前記表示領域の中心位置を変更することを特徴とする。
【００１０】
本適用例によれば、突出部の内周の中心位置と、表示部に表示させた位置合わせパターンの中心とのずれ量が所定値を越えた場合に、表示領域の中心位置を変更して、突出部と、表示する画像の中心との位置関係が所定の条件を満たすように位置合わせすることができる。
【００１１】
［適用例３］  上記適用例にかかる携帯型電子機器において、前記表示制御部は、前記位置関係の評価として、前記突出部の内周と、前記位置合わせパターンとで形成される隙間の片寄り度合を評価することを特徴とする。
【００１２】
本適用例によれば、突出部の内周の複数のポイントで、突出部の内周と位置合わせパターンとの隙間の片寄り度合を評価することにより、突出部の内周の中心位置と、位置合わせパターンの中心とのずれの有無や程度を把握し、その結果に基づいて、突出部と、表示する画像の中心との位置関係が所定の条件を満たすように位置合わせすることができる。
【００１３】
［適用例４］  上記適用例にかかる携帯型電子機器において、前記表示制御部は、前記位置合わせパターンの表示位置を変更し、前記突出部の内周の中心と、前記位置合わせパターンの中心とのずれ量が、最小となる位置を前記表示領域の中心位置として設定することを特徴とする。
【００１４】
本適用例によれば、突出部の内周の中心に、表示する画像の中心を位置合わせすることができる。
【００１５】
［適用例５］  上記適用例にかかる携帯型電子機器において、前記突出部の内周と、前記位置合わせパターンとで形成される隙間は、前記表示領域内に複数形成され、前記表示制御部は、前記複数か所の隙間の前記片寄り度合が最小となる位置を、前記表示領域の中心位置として設定することを特徴とする。
【００１６】
本適用例によれば、突出部の内周と、位置合わせパターンとの隙間の片寄り度合を、表示領域内の複数か所で確認することにより、突出部に対する表示画像のずれ方向を把握することができる。また、複数か所の隙間を均等にするように画像の中心を変更することによって、突出部と、表示する画像との位置関係を所定の条件を満たすように位置合わせすることができる。
【００１７】
［適用例６］  上記適用例にかかる携帯型電子機器において、前記位置合わせパターンは、第１直線と、該第１直線と直交する第２直線とが、それぞれ中点で交差する十字パターンを含むことを特徴とする。
【００１８】
本適用例によれば、第１直線と第２直線との交点を位置合わせパターンの中心とし、第１直線および第２直線の両端と突出部との隙間の大きさ比較することにより、突出部の内周の領域における表示画像（位置合わせパターン）の片寄り度合を把握して、それに基づいた位置合わせを行うことができる。
【００１９】
［適用例７］  上記適用例にかかる携帯型電子機器において、前記位置合わせパターンは、前記第１直線の両端部に配置され前記第２直線と平行な第１位置合わせパターンと、前記第２直線の両端部に配置され前記第１直線と平行な第２位置合わせパターンと、を含むことを特徴とする。
【００２０】
本適用例によれば、第１位置合わせパターンおよび第２位置合わせパターンと突出部との隙間が見やすくなり、突出部の内周における位置合わせパターンの位置の片寄り度合が把握しやすくなるという効果がある。
また、第１位置合わせパターンおよび第２位置合わせパターンと突出部の内周との隙間の形状により、突出部の内周における位置合わせパターンの回転方向のずれ（θずれ）の度合の把握がしやすいという効果が得られる。
【００２１】
［適用例８］  上記適用例にかかる携帯型電子機器において、前記位置合わせパターンは、前記第１位置合わせパターンと平行な第３パターンと、前記第２位置合わせパターンと平行な第４パターンと、を含むことを特徴とする。
【００２２】
突出部の内周と、位置合わせパターンとの隙間の確認を、第１位置合わせパターンと第３パターン、および、第２位置合わせパターンと第４パターンとの間に形成される隙間と、突出部の内周との位置関係によって確認する本適用例によれば、突出部の内周と位置合わせパターンとの隙間が極めて視認しやすいことを発明者は見出した。したがって、突出部の内周と位置合わせパターンとの位置関係をより的確に把握して、突出部に対する表示画像の位置合わせをより精度よく行うことが可能になる。
【００２３】
［適用例９］  上記適用例にかかる携帯型電子機器において、前記ケース部は、運動量および生体情報の少なくとも一方を検出する検出部を備え、前記表示制御部は、前記運動量および前記生体情報の少なくとも一方に対応する目標情報を取得し、前記検出部の検出結果と前記目標情報とを用いて目標達成度合いを評価し、前記突出部の内周に沿って延伸する表示パターンの長さを変えて表示させることによって前記目標達成度合いを示すことを特徴とする。
【００２４】
本適用例によれば、ユーザーは、検出部による運動量および生体情報の少なくとも一方の検出結果が、取得した目標値（目標情報）に対してどれだけ達成されているか評価した達成度合いを、表示部の表示パターンにより判りやすく確認することができる。
また、本適用例の表示パターンは突出部の内周に沿って延伸するパターンなので、突出部との位置関係を評価する位置合わせパターンとしても利用することができる。
また、本適用例の突出部の内周に沿って延伸している表示パターンは、突出部の内周に対する表示位置のずれが特に目立ちやすいので、突出部の内周に対する表示画像の位置を精度よく位置合わせすることができる本発明の効果をより顕著に享受することができる。
【００２５】
［適用例１０］  上記適用例にかかる携帯型電子機器において、前記突出部は、見切り板であることを特徴とする。
【００２６】
本適用例によれば、表示部に表示させた位置合わせパターンと、見切り板との位置関係の評価を実行し、その位置関係が所定の条件を満たさない場合には、表示部の表示領域の中心位置を位置合わせパターンの中心に合わせることができる。
したがって、機器を構成する各部品の外形等の精度を高めたり、機器の表示部の組立て精度を高めるために特殊な位置合わせ治具を用いたりすることなく、見切り板の内周により形成される画像可視領域の中心と、画像の中心とが精度よく位置合わせされた表示部を備えた携帯型電子機器を提供することができる。
【００２７】
［適用例１１］  上記適用例にかかる携帯型電子機器において、前記表示部及び前記表示制御部を格納し、前記突出部を有するケース部を備えることを特徴とする。
【００２８】
本適用例によれば、ケース部に突出部を有しているので、部品点数を抑えながら、突出部により形成される画像可視領域の中心と、画像の中心とが精度よく位置合わせされた表示部を有する携帯型電子機器を提供することができる。
【００２９】
［適用例１２］  本適用例にかかる画像表示位置合わせ方法は、上記適用例に記載の携帯型電子機器における前記表示領域に表示させる画像の表示位置を所定の位置に合わせる画像表示位置合わせ方法であって、前記表示部に前記位置合わせパターンを表示させることと、前記突出部と、前記位置合わせパターンとの位置関係の評価を実行することと、前記位置関係が所定の条件を満たさない場合に、前記表示部の前記表示領域の中心位置を変更することと、を含むことを特徴とする。
【００３０】
本適用例によれば、組立後の携帯型電子機器の表示部に位置合わせパターンを表示させ、位置合わせパターンと突出部との位置関係の評価を実行し、その位置関係が所定の条件を満たさない場合には、表示部の表示領域の中心位置を位置合わせパターンの中心に合わせることができる。
したがって、各部品の外形等の精度を必要以上に高く求めたり、携帯型電子機器の表示部の組立て時に特殊な位置合わせ治具を用いたりすることなく、突出部の内周により形成される画像可視領域の中心と、画像の中心とが精度よく位置合わせされた表示部を有する携帯型電子機器を提供することができる。
【００３１】
［適用例１３］  上記適用例に記載の画像表示位置合わせ方法をコンピューターに実行させるプログラム。
【００３２】
本適用例によれば、携帯型電子機器の表示部において、突出部による画像可視領域の中心と、表示される画像の中心とを精度よく位置合わせする画像表示位置合わせ方法を実行することができる。
【図面の簡単な説明】
【００３３】
【図１Ａ】本実施形態に係る携帯型電子機器としての生体情報検出装置の斜視図。
【図１Ｂ】本実施形態に係る生体情報検出装置を図１Ａとは異なる方向からみた斜視図。
【図２】本実施形態に係る生体情報検出装置を表側からみた平面図。
【図３】本実施形態に係る生体情報検出装置を裏側からみた平面図。
【図４】本実施形態の生体情報検出装置の機能ブロック図。
【図５】本実施形態の画像表示位置合わせ方法で用いる位置合わせパターンを示す平面図。
【図６】本実施形態の画像表示位置合わせ方法を示すフローチャート。
【図７Ａ】画像の表示位置が所定範囲内にある状態を示すものであり、図５のＤ部を示す部分拡大図。
【図７Ｂ】図５のＤ部において、画像の表示位置が所定範囲から外れている一状態を示す部分拡大図。
【図７Ｃ】図５のＤ部において、画像の表示位置が所定範囲から外れている他の状態を示す部分拡大図。
【図８】実施形態２に係る画像表示位置合わせ方法を示すフローチャート。
【図９】変形例１に係る位置合わせパターンを示す平面図。
【図１０】変形例２に係る生体情報検出装置を表側からみた平面図。
【図１１】変形例３に係る生体情報検出装置の断面図。
【図１２】変形例４に係る画像表示位置合わせ方法を示すフローチャート。
【発明を実施するための形態】
【００３４】
以下、本発明の実施形態について、図面を参照して説明する。なお、以下の各図においては、各層や各部材を認識可能な程度の大きさにするため、各層や各部材の尺度を実際とは異ならせしめている。また、以下に説明する本実施形態は、特許請求の範囲に記載された本発明の内容を不当に限定するものではなく、また本実施形態で説明される構成の全てが、本発明の必須構成要件であるとは限らない。
【００３５】
（実施形態１）
図１Ａおよび図１Ｂは、本実施形態に係る携帯型電子機器としての生体情報検出装置１をそれぞれ異なる角度からみた斜視図である。また、図２は、本実施形態に係る生体情報検出装置１を表側（トップケース２１側）からみた平面図であり、図３は、裏側（ボトムケース２２側）からみた平面図である。
以下、これらの図を用いて本実施形態の生体情報検出装置１の具体的な構成例について説明する。
【００３６】
１．生体情報検出装置の構成
図１Ａおよび図１Ｂに示すように、本実施形態に係る生体情報検出装置１は、ユーザーの所与の部位（例えば手首）に装着され、画像を表示するＬＣＤ（Liquid Crystal Display）などの表示部７０を有するとともに、脈波情報等の生体情報を検出する検出部としてのセンサー部３０を有する。生体情報検出装置１は、ユーザーに密着されて生体情報を検出する機器本体１０と、機器本体１０の外形を形成するケース部２０に取り付けられ機器本体１０をユーザーに装着するためのバンド部１５と、を有する。
【００３７】
図２および図３に示すように、機器本体１０は、トップケース２１と、ボトムケース２２とを含むケース部２０を有する。ケース部２０は、表示部７０、センサー部３０、センサー部３０の検出信号を処理する信号処理部２１０（図４を参照）、および、表示部７０を制御する表示制御部２３０（図４を参照）を有する。図２は、トップケース２１からボトムケース２２へ向かう方向での平面図である。また、図３は、図２とは反対側であって、ボトムケース２２からトップケース２１へ向かう方向、すなわち、生体情報検出装置１がユーザーに装着されて使用される状況における、被検体（ユーザー手首）側から観察した方向での平面図である。つまり、図２は、主としてトップケース２１の構造を表す平面図であり、図３は、主としてボトムケース２２の構造を表す平面図である。
【００３８】
図２に示すように、トップケース２１は、胴部２１１と、ガラス板（カバーガラス）２１２とを備えている。胴部２１１及びガラス板２１２は、内部構造を保護する外壁（風防）として用いられるとともに、ガラス板２１２を介して、ガラス板２１２の直下に設けられる表示部７０の表示をユーザーが閲覧可能な構成となっている。つまり本実施形態の生体情報検出装置１では、検出した生体情報や運動状態を表す情報、或いは時刻情報等の種々の情報を表示部７０に表示し、当該表示をトップケース２１側からユーザーに提示する。なお、ここでは生体情報検出装置１の天板部分をガラス板２１２により実現する例を示したが、表示部７０を閲覧可能な透明部材であり、表示部７０やそれを表示する制御を行う表示制御部（不図示）等のケース部２０の内部に含まれる構成を保護可能な程度の強度を有する部材であれば、透明のプラスチック等、ガラス以外の材料（透明部材）により天板部分を構成することが可能である。
【００３９】
天板部分を構成するガラス板２１２の内側において、表示部７０は、液晶表示などにより画像が表示される表示領域７０ａを有し、その表示領域７０ａの法線方向からの平面視において、表示領域７０ａと重なる重複部を有する突出部が配置されている。本実施形態では、中央に表示領域７０ａよりも小さい透光領域７５ｃを有する環状の遮光部材（重複部）からなる突出部としての見切り板７５が表示部７０上に配置されている。これにより、ユーザーは、表示部７０の表示領域７０ａに表示される画像のうち、見切り板７５の透光領域７５ｃにより形成される画像可視領域７７の画像を視認することが可能になっている。
【００４０】
トップケース２１の側面には、ユーザーが生体情報検出装置１を操作する際の入力部となる複数のボタン２５ａ，２５ｂが備えられている。本実施形態では、トップケース２１の４時〜５時の方向の側面に配置されたボタン２５ａと、１時〜２時の方向の側面、７時〜８時の方向の側面、および１０時〜１１時の方向の側面にそれぞれ配置された３つのボタン２５ｂが設けられている。ボタン２５ａは、例えばファンクション切り換え用のボタンであり、このボタン２５ａを押すことにより、表示部７０に表示する画像を切り替えたり、生体情報検出装置１の動作モードを切り替えたりすることができる。この他のボタン２５ｂは、ボタン２５ａにより選択されたモードにおいて、表示部７０の表示や生体情報検出装置１の動作の変更を行う。
【００４１】
図３に示すように、ボトムケース２２には検出窓２２１１が設けられ、検出窓２２１１に対応する位置にセンサー部３０が設けられる。検出窓２２１１においては光が透過する構成となっている。また、センサー部３０（検出窓２２１１）は、被検体の皮膚表面に接触して押圧を与える凸部３２を有する。このように凸部３２が皮膚表面に押圧を与えた状態で、センサー部３０に設けられる光電センサー（脈波センサー）のうちの発光部３１１（図４参照）が光を射出し、検出窓２２１１を透過して被検体に対して照射される。また、被検体（血管）により反射された光も検出窓２２１１を透過し、脈波センサーのうちの受光部３１３（図４参照）において受光し、その受光結果が検出信号として処理部２００（図４参照）に出力される。そして処理部２００は、センサー部３０からの検出信号に基づいて脈波等の生体情報を検出する。生体情報検出装置１が被検体（ユーザー）に装着されると、センサー部３０の凸部３２がユーザーの手首の皮膚表面に接触して押圧を与え、その状態でセンサー部３０の発光部３１１が光を発光し、受光部３１３が反射光を受光することで、脈波等の生体情報が検出される。
【００４２】
なお、図１Ａ、図１Ｂ、図２、および図３では、ケース部２０はトップケース２１とボトムケース２２とから構成されており、ボトムケース２２が透光部２２１及び遮光部２２２を有する構造としているが、これには限定されない。例えば、ケース部２０を一体の部材で形成してもよいし、透明な板状部材である天板と、当該天板と組み合わされる樹脂部材とからケース部２０を構成する等、種々の変形実施が可能である。以下、本明細書ではケース部２０を、図１Ａ、図１Ｂ、図２、および図３の構造であるものとして説明するが、本実施形態の手法は、透光部２２１と遮光部２２２を有する他の構造のケース部２０を用いる場合などにも適用可能である。また、図１Ｂおよび図３では、センサー部３０、検出窓２２１１、及び検出窓２２１１の周辺部分の構成を簡略化して示している。
【００４３】
上述の構成のようにした場合、透光部２２１と遮光部２２２により、光電センサーで適切な光を測定に用いることが可能になる。遮光部２２２は光を透過しない（遮光する）部材で形成され、例えば検出窓２２１１以外の部分からの光がセンサー部３０に入射されるのを遮光するものであってもよい。その際、透光部２２１と遮光部２２２を一体形成しておけば、ケース部２０（特にボトムケース２２）の作成が容易となる。
【００４４】
図４に、本実施形態の生体情報検出装置１の機能ブロック図を示す。図４に示す生体情報検出装置１は、脈波センサーとしてのセンサー部３０、処理部２００、記憶部２４０、通信部２５０、アンテナ２５２、表示部７０を含む。なお、本実施形態の生体情報検出装置１は、図４に示す構成に限定されず、その構成要素の一部を省略したり、他の構成要素に置き換えたり、他の構成要素を追加するなどの種々の変形実施が可能である。
【００４５】
センサー部３０は、脈波等の生体情報を検出するものであり、受光部３１３、発光部３１１を含む。これらの受光部３１３、発光部３１１等により脈波センサー（光電センサー）が実現される。センサー部３０は、脈波センサーにより検出された信号を、脈波検出信号として出力する。
なお、センサー部は、脈波等の生体情報を検出するセンサーの他、運動量を検出する例えば体動センサーを備えている構成としてもよい。体動センサーは、種々のセンサーのセンサー情報に基づいて、体動に応じて変化する信号である体動検出信号を出力する。この場合、センサー部３０は、体動センサーとして例えば加速度センサー、圧力センサー、ジャイロセンサーなどを有していてもよい。
【００４６】
処理部２００は、例えば記憶部２４０をワーク領域として、各種の信号処理や制御処理を行うものであり、例えばＣＰＵ等のプロセッサー或いはＡＳＩＣなどの論理回路により実現できる。処理部２００は、信号処理部２１０と、拍動情報演算部２２０と、表示制御部２３０とを含む。
【００４７】
信号処理部２１０は、各種の信号処理（フィルター処理等）を行うものであり、例えば、センサー部３０からの脈波検出信号などに対して信号処理を行う。
【００４８】
拍動情報演算部２２０は、信号処理部２１０からの信号等に基づいて、拍動情報の演算処理を行う。拍動情報は例えば脈拍数などの情報である。具体的には、拍動情報演算部２２０は、脈波検出信号に対してＦＦＴ等の周波数解析処理を行って、スペクトルを求め、求めたスペクトルにおいて代表的な周波数を心拍の周波数とする処理を行う。求めた周波数を６０倍にした値が、一般的に用いられる脈拍数（心拍数）となる。なお、拍動情報は脈拍数そのものには限定されず、例えば脈拍数を表す他の種々の情報（例えば心拍の周波数や周期等）であってもよい。また、拍動の状態を表す情報であってもよく、例えば血液量そのものを表す値を拍動情報としてもよい。
【００４９】
表示制御部２３０は、表示部７０を制御する。表示部７０は、表示制御部２３０の制御により画像を表示してユーザーに各種の情報を報知する。表示制御部２３０が行う表示部７０の制御は、表示部７０の表示領域７０ａ（図２参照）に表示させる画像パターンの制御および画像の表示位置の制御（画像表示位置合わせなど）を含む。
なお、生体情報検出装置１は、ユーザーへの情報の報知を、表示部７０の画像表示による報知とは異なる手段で行う報知部およびそれを制御する報知制御部を備えてもよい。報知部としては、例えば報知用の発光体を用いることができる。この場合には、報知制御部はＬＥＤに流れる電流を制御することで、発光体の点灯、点滅等を制御する。また、報知部は、ブザーや振動発生部等であってもよし、それらを複数備えてもよい。
【００５０】
入力部としてのボタン２５ａ，２５ｂは、生体情報検出装置１による生体情報検出の開始・終了や切替え、あるいは表示部７０の表示モードの切替えなどを実行させる信号を処理部２００に出力するときに、ユーザーがボタン２５ａ，２５ｂのうちの所定のボタンを操作するものである。
【００５１】
生体情報検出装置１は、通信部２５０を備えてもよい。通信部２５０は、例えば、スマートフォン、携帯電話機、フィーチャーフォン等の携帯型通信端末などの外部の端末装置との通信処理を行う。例えばブルートゥース（登録商標）などの規格にしたがった無線通信の処理を行う。具体的には通信部２５０は、アンテナ２５２からの信号の受信処理や、アンテナ２５２への信号の送信処理を行う。この通信部２５０の機能は、通信用のプロセッサー或いはＡＳＩＣなどの論理回路により実現できる。
【００５２】
上述の生体情報検出装置１のような表示部７０を有する腕時計型の携帯型電子機器において、近年の健康増進への意識の高まりに伴い、センサー部３０の検出結果や、それに基づく警告やアドバイスなどの種々の情報を表示部７０に表示させる（図２を参照）要求が高まってきている。このため、表示部７０の画像可視領域７７の周縁部、即ち、見切り板７５の内周７５ａ近くまでの広い領域に画像を表示させる必要が出てきているため、ケース部２０に対する表示部（ＬＣＤ）７０および見切り板７５の組立位置の精度が高く要求される。しかし、ケース部２０と表示部７０および見切り板７５の組立て位置精度を高めるためには、ケース部２０や表示部７０および見切り板７５の外形や組み込み機構の形状の高精度な形成が求められるため、組立て位置精度が確保できずに表示位置ずれとなったり、各部品の製造歩留りが低下してコストアップを招いたりする虞があった。
本発明は、組立て上がりにて、見切り板７５の内周７５ａに対して表示部７０の画像表示位置がずれてしまった場合に、比較的簡便に、且つ、精度よく位置合わせする画像表示位置合わせ方法を提供することができる。
以下、図面に沿って、本実施形態における表示部７０の画像表示位置合わせ方法について説明する。
【００５３】
２．画像表示位置合わせ方法
図５は、本実施形態の画像表示位置合わせ方法で用いる位置合わせパターンを示す平面図である。また、図６は、本実施形態の画像表示位置合わせ方法を示すフローチャートである。また、図７Ａ〜図７Ｃは、画像の表示位置の三態を図５のＤ部で示す部分拡大図であり、図７Ａは、画像の表示位置が所定範囲内にある状態を示し、図７Ｂおよび図７Ｃは、画像の表示位置が所定範囲から外れている２つの状態をそれぞれ示すものである。
【００５４】
［位置合わせパターン］
まず、本実施形態の生体情報検出装置１の画像表示位置合わせ方法において、表示部７０に表示した画像の表示位置の評価、および、表示位置がずれていた場合に、画像の位置合わせを行う際に用いる位置合わせパターン１５０について、図５に沿って説明する。図５では、見切り板７５の内周７５ａおよび外周７５ｂと、表示部７０の表示領域７０ａとを、それぞれ破線で示している。
【００５５】
図５に示すように、表示部７０の表示領域７０ａに表示させる位置合わせパターン１５０は、第１直線１５１Ａと、該第１直線１５１Ａと直交する第２直線１５１Ｂとが、それぞれ中点Ｍで交差する十字パターンを含む。また、第１直線１５１Ａの両端部には、第２直線１５１Ｂと平行な第１位置合わせパターン１５２ａが配置され、第２直線１５１Ｂの両端部には、第１直線１５１Ａと平行な第２位置合わせパターン１５２ｂが配置されている。また、位置合わせパターン１５０は、第１位置合わせパターン１５２ａと平行な第３パターン１５３ａと、第２位置合わせパターン１５２ｂと平行な第４パターン１５３ｂとを含む。図５は、表示部７０に表示させた位置合わせパターン１５０の位置が、見切り板７５に対して所定の位置に合っている状態を示しており、中点Ｍで直交する第１直線１５１Ａおよび第２直線１５１Ｂからなる十字パターンの四つの端部に形成される第１位置合わせパターン１５２ａと第３パターン１５３ａとの間に形成される隙間、および、第２位置合わせパターン１５２ｂと第４パターン１５３ｂとの間に形成される隙間に、見切り板７５の内周７５ａの一部が位置するようになっている。
【００５６】
［画像表示位置合わせ方法］
次いで、上述の位置合わせパターン１５０を用いて行う生体情報検出装置１の表示部７０の画像表示位置合わせ方法について説明する。なお、本発明は、以下説明する画像表示位置合わせ方法を、コンピューターに実行させるプログラムを含むことはいうまでもない。
本実施形態の画像表示位置合わせ方法では、まず、図６のステップＳ１において、表示部７０、見切り板７５、ガラス板２１２等の部品をケース部２０に組み込んだ組立て上がりの生体情報検出装置１（少なくとも機器本体１０）において、表示制御部２３０は、表示部７０に、部品としての表示部７０のデフォルトの画像表示位置にて位置合わせパターン１５０を表示させる。
【００５７】
次に、ステップＳ３において、表示部７０に表示させた位置合わせパターン１５０と、見切り板７５の内周７５ａとの位置関係が所定の条件を満たしているか否かの評価を実行する。この位置関係の評価を、本実施形態では、表示制御部２３０が、見切り板７５の内周と、位置合わせパターン１５０とで形成される隙間の片寄り度合を評価することにより行う。以下、表示部７０に表示させた位置合わせパターン１５０と、見切り板７５の内周７５ａとの位置関係の評価方法について、具体的に説明する。図５に示す位置合わせパターン１５０を用いた本実施形態の画像表示位置合わせ方法では、見切り板７５の内周７５ａにより形成される画像可視領域７７の中心と、表示部７０の表示領域７０ａの中心との位置関係を、位置合わせパターン１５０と、見切り板７５の内周７５ａとの間に形成される複数箇所の隙間の片寄り度合で評価する。
【００５８】
上述したように、図５は、表示部７０に表示させた位置合わせパターン１５０の位置が、見切り板７５に対して所定の位置に合っている状態を示しており、図７Ａは、図５のＤ部の部分拡大図である。図７Ａに示すように、位置合わせパターン１５０の画像表示位置が見切り板７５に対して所定の位置に合っている状態では、位置合わせパターン１５０の第１直線１５１Ａの一方の端部に形成され第１直線１５１Ａと直交する第１位置合わせパターン１５２ａと、その第１位置合わせパターン１５２ａと平行な第３パターン１５３ａとの間に形成される隙間が視認できる。詳細には、見切り板７５の内周７５ａが、位置合わせパターンの一方の端部の第３パターン１５３ａと平面視で重なっており、位置合わせパターン１５０と見切り板７５の内周７５ａとの間には、第１位置合わせパターン１５２ａと第３パターン１５３ａの間の１つの隙間だけが視認できる状態になっている。これは、第１直線１５１Ａの他方の端部に配置された第１位置合わせパターン１５２ａおよび第３パターン１５３ａと見切り板７５の内周７５ａとの位置関係、および、第２直線１５１Ｂの両端部に配置された第２位置合わせパターン１５２ｂと第４パターン１５３ｂと見切り板７５の内周７５ａとの位置関係も同様な状態となる。即ち、見切り板７５に対して、表示された画像（位置合わせパターン１５０）が所定の位置に合っているとき、位置合わせパターン１５０の４方向の端部と見切り板７５の内周７５ａとの間に、各々１つの隙間が視認できる状態となる。
【００５９】
一方、表示部７０に表示された位置合わせパターン１５０の表示位置が、見切り板７５に対して所定の位置関係を満たさずにずれた場合には、図７Ｂに示すように、第３パターン１５３ａが見切り板７５の内周７５ａから画像可視領域７７側に露出してしまい、位置合わせパターン１５０と見切り板７５の内周７５ａとの間に２つの隙間が視認される状態となる。
また、図７Ｂに示す状態に対して、第１直線１５１Ａに沿う逆方向に位置合わせパターン１５０の表示位置がずれた場合には、図７Ｃに示すように、第１位置合わせパターン１５２ａが見切り板７５の下に隠れてしまい、位置合わせパターン１５０と見切り板７５の内周７５ａとの間に隙間が視認できない状態となる。
なお、図７Ｂに示す状態と、図７Ｃに示す状態とは、位置合わせパターン１５０の第１直線１５１Ａの両端部、および、第２直線１５１Ｂの両端部で、同時に逆方向のずれ方として発現することはいうまでもない。
【００６０】
以上述べたように、本実施形態の、表示部７０に表示させた位置合わせパターン１５０と見切り板７５の内周７５ａとの位置関係の評価方法では、見切り板７５の内周７５ａと、位置合わせパターン１５０の４つの端部（第１直線１５１Ａの両端部および第２直線１５１Ｂの両端部）との間において、４方向すべてで各々１つの隙間が視認できる状態が良と判断でき、４方向のうちいずれかに２つの隙間が視認された場合、および、隙間が視認できない状態は否と判断することができる。また、４方向各々の隙間の大きさや視認できる長さ（片寄り度合）によって、表示された画像の中心（位置合わせパターン１５０の中点Ｍ）と、見切り板７５により形成される画像可視領域７７の中心（表示領域７０ａの中心）とが、どの方向へどれだけずれているかを把握することができる。
【００６１】
位置合わせパターン１５０と、見切り板７５の内周７５ａとの位置関係の評価にて、位置関係が所定の条件を満たしている場合（ステップＳ５でＹＥＳ）、画像表示位置の位置合わせをする必要はないので、画像表示位置合わせ方法を終了する。
位置関係が所定の条件を満たしていない場合（ステップＳ５でＮＯ）、ステップＳ３における位置合わせパターン１５０と見切り板７５の内周７５ａとの位置関係の評価にて、確認された画像可視領域７７における位置合わせパターン１５０の片寄り度合に基づいて、表示部７０の表示領域７０ａの中心位置の変更量を算出する（ステップＳ７）。表示領域７０ａの中心位置の変更量は、ステップＳ３において確認された、見切り板７５の内周７５ａと、位置合わせパターン１５０との複数か所（４箇所）の隙間の片寄り度合が最小となる位置を、表示領域７０ａの中心位置として設定することにより算出することができる。
また、表示領域７０ａの中心位置の変更量は、例えば、表示部７０がＬＣＤである場合、画素のドット単位にて決定してもよい。これによれば、１ドットの画素サイズに近似な分解能にて、画像表示位置合わせを行うことが可能である。
【００６２】
そして、ステップＳ７で算出した変更量にて、表示部７０の表示領域７０ａの中心位置を変更する（ステップＳ９）。例えば、ボタン２５ａ，２５ｂの所定の操作により、表示部７０の表示領域７０ａの中心位置変更モードにして、表示制御部２３０に算出した変更量で表示領域７０ａの中心位置を変更させるコマンドを出力し、表示制御部２３０は、そのコマンドに基づいて、表示部７０の表示領域７０ａの中心位置を、算出された変更量にて変更する。
次いで、ステップＳ３に戻り、見切り板７５の内周７５ａと、位置合わせパターン１５０との隙間を複数か所で確認することにより、表示領域７０ａの中心位置を変更した状態で表示させた位置合わせパターン１５０と、見切り板７５の内周７５ａとの位置関係が所定の条件を満たしているか否かの評価を行い、その位置関係が所定の条件を満たすようになるまで、ステップＳ５以降の工程を実行する。
【００６３】
以上述べたように、本実施形態に係る生体情報検出装置１、および、それに備わる表示部７０の画像表示位置合わせ方法によれば、以下の効果を得ることができる。
【００６４】
本実施形態の携帯型電子機器としての生体情報検出装置１は、画像を表示する表示領域７０ａを有する表示部７０と、表示部７０上に配置され、表示領域７０ａよりも小さい透光領域７５ｃを有する見切り板７５と、表示部７０の表示を制御する表示制御部２３０と、それら表示部７０および表示制御部２３０を有し、人体（ユーザー）に装着可能なケース部２０と、を備えた構成において、表示制御部２３０は、表示部７０に位置合わせパターン１５０を表示させ、位置合わせパターン１５０と見切り板７５との位置関係の評価を実行し、その位置関係が所定の条件を満たさない場合には、表示部７０の表示領域７０ａの中心位置を変更する構成とした。
これにより、機器の組み立て時に、表示部７０に表示する画像と見切り板７５との位置関係の精度を、過度に求める必要がなくなる。したがって、各部品の外形等の精度を高く求めたり、生体情報検出装置１の表示部７０の組立て精度を高くするために特殊な位置合わせ治具を用いたりすることなく、見切り板７５の透光領域７５ｃによる画像可視領域７７の中心と、表示される画像の中心とが精度よく位置合わせされた表示部７０を備えた生体情報検出装置１を提供することができる。
【００６５】
本実施形態の生体情報検出装置１における表示部７０の画像表示位置合わせ方法では、表示させた位置合わせパターン１５０と見切り板７５との位置関係の評価として、見切り板７５の内周７５ａと、位置合わせパターン１５０の第１直線１５１Ａおよびそれと中点Ｍで直交する第２直線１５１Ｂの両端部とで形成される４か所の隙間の片寄り度合を評価する構成とした。
この構成によれば、見切り板７５の内周７５ａの複数（４箇所）のポイントで、見切り板７５の内周７５ａと位置合わせパターン１５０との隙間の片寄り度合を評価することにより、見切り板７５の内周７５ａの中心位置、即ち、画像可視領域７７の中心位置と、位置合わせパターン１５０の中心（中点Ｍ）とのずれの有無や程度（片寄り度合）を簡便に且つ精度よく把握し、その結果に基づいて、見切り板７５と、表示する画像の中心との位置関係が所定の条件を満たすように位置合わせすることができる。
【００６６】
さらに、本実施形態の画像表示位置合わせ方法で用いる位置合わせパターン１５０は、第１直線１５１Ａの両端部に、第２直線１５１Ｂと平行な（第１直線１５１Ａと直交する）第１位置合わせパターン１５２ａと、その第１位置合わせパターン１５２ａと平行な第３パターン１５３ａが配置し、第２直線１５１Ｂの両端部に、第１直線１５１Ａと平行な（第２直線１５１Ｂと直交する）第２位置合わせパターン１５２ｂと、その第２位置合わせパターン１５２ｂと平行な第４パターン１５３ｂを配置した構成とした。
見切り板７５の内周７５ａと、位置合わせパターン１５０との隙間の確認を、第１直線１５１Ａの両端部に配置される第１位置合わせパターン１５２ａと第３パターン１５３ａ、および、第２直線１５１Ｂの両端部に配置される第２位置合わせパターン１５２ｂと第４パターン１５３ｂとの間に形成される隙間と、見切り板７５の内周７５ａとの位置関係によって確認する本方法によれば、見切り板７５の内周７５ａと位置合わせパターン１５０との隙間が極めて視認しやすく、見切り板７５により形成される画像可視領域７７における表示画像の位置の片寄り度合を、目視にて精度よく把握できることを発明者は見出した。したがって、見切り板７５の内周７５ａと位置合わせパターン１５０との位置関係をより的確に把握して、見切り板７５に対する表示画像の位置合わせをより精度よく行うことが可能になる。
【００６７】
（実施形態２）
図８は、実施形態２に係る画像表示位置合わせ方法を示すフローチャートである。
本実施形態に係る画像表示位置合わせ方法について、図８を参照して説明する。なお、実施形態１と同一の構成部位については、同一の番号を使用し、重複する説明は省略する。なお、本発明は、本実施形態の画像表示位置合わせ方法をコンピューターに実行させるプログラムを含むことはいうまでもない。
【００６８】
上述の実施形態１では、見切り板７５の内周７５ａと、位置合わせパターン１５０との隙間を目視により確認して、見切り板７５と位置合わせパターン１５０との位置関係を評価する例について説明したが、目視でなく、撮像装置および画像処理装置を用いて行うことも可能である。本実施形態では、撮像装置および画像処理装置（いずれも図示せず）を用いた方法として説明する。
実施形態２の画像表示位置合わせ方法では、まず、図８のステップＳ１１において、部品としての見切り板７５の内周７５ａの内径を予め記憶部２４０に記憶しておく。
次いで、ステップＳ１２において、所定の載置部に、撮像装置の撮像部が表示部７０と正対するように、組み込んだ組立て上がりの生体情報検出装置１の少なくとも機器本体１０をセットする。もちろん、機器本体１０にバンド部１５が取り付けられた状態であってもよい。
【００６９】
次に、ステップＳ１３において、撮像装置および画像処理装置を用いて、見切り板７５の内周７５ａの内径を検出し、その検出結果から内周７５ａの内径の物理的な中心位置を判定し（ステップＳ１４）、その内周７５ａの内径の中心位置を記憶部２４０に記憶する。ここで、画像処理装置による検出結果は、例えば画像処理装置が備える通信部から、生体情報検出装置１Ａの通信部２５０にアンテナ２５２を介して送信され、通信部２５０が受信した検出結果データは処理部２００を介して記憶部２４０に出力される。
【００７０】
次に、ステップＳ２１において、表示制御部２３０は、表示部７０に、部品としての表示部７０のデフォルトの画像表示位置にて位置合わせパターンを表示させる。ここで、位置合わせパターンとしては、パターン形成領域の中心を示すパターンを用いる。例えば、位置合わせパターンは、第１直線１５１Ａと、該第１直線と直交する第２直線１５１Ｂとが、それぞれ中点で交差する十字パターンを含むことにより、第１直線と第２直線との交点を位置合わせパターンの中心とし用いることができる。したがって、実施形態１で用いた図５に示す位置合わせパターン１５０は、第１直線１５１Ａと、その第１直線１５１Ａと中点Ｍで直交するパターンを含むので、中点Ｍを位置合わせパターンの中心として用いることが可能である。このほか、例えば、パターン形成領域の中心を点のようなパターンで示したものであってもよく、図９に示す変形例１の位置合わせパターン１５０Ａの中心点パターンＭ１を用いることができる。
【００７１】
次に、ステップＳ２３において、表示制御部２３０は、表示部７０に表示させた位置合わせパターンの中心と、ステップＳ１４で判定され記憶部２４０に記憶された見切り板７５の内周７５ａの中心位置との位置関係が所定の条件を満たしているか否かの評価を行う。この評価において、表示制御部２３０は、見切り板７５の内周７５ａの内径の中心位置と、位置合わせパターンの中心とのずれ量が所定値を越えた場合に、所定の条件を満たしていないと判定し、次工程で表示領域７０ａの中心位置を変更する。
【００７２】
位置合わせパターンの中心と、見切り板７５の内周７５ａの中心位置との位置関係の評価にて、位置関係が所定の条件を満たしている場合（ステップＳ２５でＹＥＳ）、画像表示位置の位置合わせをする必要はないので、画像表示位置合わせ方法を終了する。
位置関係が所定の条件を満たしていない場合（ステップＳ２５でＮＯ）、表示制御部２３０は、ステップＳ２３における位置合わせパターンの中心と見切り板７５の内周７５ａの中心位置との位置関係の評価にて確認された所定の条件との差に基づいて、表示部７０の表示領域７０ａの中心位置の変更量を算出する（ステップＳ２７）。ここで、表示制御部２３０は、見切り板７５の内周７５ａの中心位置と、位置合わせパターンの中心とのずれ量が、最小となる位置を表示領域７０ａの中心位置として設定する処理を行う。
【００７３】
そして、ステップＳ２７で算出した変更量にて位置合わせパターンの表示位置を変更する（表示部７０の表示領域７０ａの中心位置を変更する（ステップＳ９））。
次いで、ステップＳ２３に戻り、見切り板７５の内周７５ａの中心位置と、位置合わせパターンの中心との位置関係が所定の条件を満たしているか否かの評価を行い、その位置関係が所定の条件を満たすようになるまで、ステップＳ２５以降の工程を実行する。
【００７４】
以上述べたように、本実施形態に係る画像表示位置合わせ方法によれば、実施形態１での効果に加えて、以下の効果を得ることができる。
本実施形態によれば、実施形態１のように、位置合わせパターン１５０と見切り板７５の内周７５ａとの隙間の片寄り度合を目視で確認する方法とは異なり、画像表示位置合わせが必要か否かの判定や、その判定結果に基づいた位置合わせを、撮像装置および画像処理装置を用いて自動化することが可能となるので、画像表示位置合わせの効率化および高精度化を図ることができる。
【００７５】
また、本実施形態では、見切り板７５の内周７５ａの内径の中心と、位置合わせパターンの中心とのずれ量が所定値を越えた場合に、表示部７０の表示領域７０ａの中心位置を変更することによって、画像表示位置合わせを行う。
これにより、実施形態１のように、位置合わせパターン１５０と見切り板７５の内周７５ａとの隙間を複数箇所（４箇所）確認し、その各隙間の片寄り度合によって見切り板７５と表示領域７０ａとの位置関係を評価する方法よりもシンプルな評価により、画像表示位置合わせを行うことができる。
【００７６】
本発明は、上述した実施形態に限定されず、上述した実施形態に種々の変更や改良などを加えることが可能である。変形例を以下に述べる。
【００７７】
（変形例１）
図９は、変形例１に係る位置合わせパターンの平面図である。
上記実施形態１では、図５に示すような形状の位置合わせパターン１５０を用いて、見切り板７５の内周７５ａと、位置合わせパターンとの複数箇所（４箇所）の隙間の片寄り度合により、見切り板７５と位置合わせパターン１５０との位置関係を評価したが、これに限定するものではない。
以下、変形例１に係る位置合わせパターン１５０Ａについて説明し、その後、他の位置合わせパターンの構成について述べる。なお、実施形態１と同一の構成部位については、同一の番号を附し、重複する説明は省略する。
【００７８】
変形例１の位置合わせパターン１５０Ａは、見切り板７５の内周７５ａよりもひとまわり小さい同心円のパターンを主たる構成とする。また、位置合わせパターン１５０は、その同心円パターンの中心に配置された中心点パターンＭ１を含む。なお、中心点パターンＭ１は、上述した実施形態２の画像表示位置合わせ方法において単独で用いることができる。つまり、本変形例の位置合わせパターン１５０Ａは、同心円パターンおよび中心点パターンＭ１のいずれかを単独でも位置合わせパターンとして用いることが可能である。
【００７９】
変形例１の位置合わせパターン１５０Ａを表示部７０に表示させて、見切り板７５との位置関係を評価する際には、位置合わせパターン１５０Ａと見切り板７５の内周７５ａとの同心がとれた状態を良とする。即ち、見切り板７５の内周７５ａと、位置合わせパターン１５０Ａの外周との隙間が各部とも均等になるように画像表示位置合わせを行うようにする。
また、中心点パターンＭ１は、上記実施形態２の画像表示位置合わせ方法で述べた方法にて利用することができる。
【００８０】
変形例１の位置合わせパターン１５０Ａによれば、実施形態１の位置合わせパターン１５０およびそれを用いた画像表示位置合わせ方法に比べると、位置合わせの精度は多少劣るが、ユーザーが目視で画像表示位置合わせを行うことには十分に使えるレベルである。また、撮像装置や画像処理装置を使用した自動の位置合わせ方法に適用すれば、位置合わせ精度の向上を図ることができる。また、位置合わせパターン１５０Ａの形状がシンプルで作成が容易という効果もある。
【００８１】
（位置合わせパターンの他の変形例）
図５に示す実施形態１の位置合わせパターン１５０は、その一部を省いた構成としても、画像表示位置合わせに用いることができる。
例えば、図５において、位置合わせパターン１５０の、第１直線１５１Ａの両端部に配置された第３パターン１５３ａ、および、第２直線１５１Ｂの両端部に配置された第４パターン１５３ｂが無い構成であっても、第１位置合わせパターン１５２ａおよび第２位置合わせパターン１５２ｂと、見切り板７５の内周７５ａとの隙間を確認することにより、ユーザーが目合わせするには十分な精度にて画像表示位置合わせすることが可能である。
【００８２】
また、第３パターン１５３ａおよび第４パターン１５３ｂとともに、第１位置合わせパターン１５２ａおよび第２位置合わせパターン１５２ｂが無い構成、即ち、第１直線１５１Ａおよびそれと中点Ｍで直交する第２直線１５１Ｂとによる十字パターンであっても、上記実施形態２の中心合わせによる画像表示位置合わせ方法に、十字パターンの中点Ｍを用いることができる。
【００８３】
（変形例２）
図１０は、変形例２の携帯型電子機器としての生体情報検出装置１Ａを表側からみた平面図である。以下、この図を用いて変形例２の生体情報検出装置１Ａについて説明する。なお、上記実施形態と同一の構成部位については、同一の番号を附し、重複する説明は省略する。また、図４に示す実施形態１と機能ブロック図は同じ構成であるため、図４を用いて機能ブロックを説明する。
【００８４】
本変形例に係る生体情報検出装置１Ａは、表示部７０に、見切り板７５の内周７５ａに沿って延伸する表示パターン１０５を表示可能になっている。表示制御部２３０は（図４を参照）、センサー部３０が検出する生体情報に対応する目標情報を取得し、センサー部３０の検出結果と目標情報とを用いて目標達成度合いを評価し、その評価結果を、表示パターン１０５の長さを変えて表示させることによって目標達成度合いを表示する。例えば図１０では、１２時の位置から始まる表示パターン１０５が、見切り板７５の内周７５ａに沿って、およそ７時の方向まで達しているので、ユーザーは、目標達成度合いが５０％を超えている状態であることを認識できる。生体情報検出装置１Ａが検出し、目標情報を取得して目標達成度合いを評価する評価指標は、生体情報に限るものではないことはもちろんである。例えば、センサー部３０に加速度センサーなどからなる体動センサーを具備させて体動情報を検出し、表示制御部２３０は、体動情報に対応する目標情報を取得して、目標達成度合いを評価して、それを表示パターン１０５の長さによって表示させる構成としてもよい。
【００８５】
本変形例の生体情報検出装置１Ａによれば、ユーザーは、検出部としてのセンサー部３０による脈波などの生体情報の検出結果が、取得した目標値（目標情報）に対してどれだけ達成されているか評価した達成度合いを、表示部７０の表示パターン１０５により判りやすく確認することができる。
また、表示パターン１０５は、見切り板７５の内周７５ａに沿って延伸するパターンを、見切り板７５との位置関係を評価する位置合わせパターンとしても利用することができる。
また、本変形例のように、見切り板７５の内周７５ａに沿って延伸している表示パターン１０５は、見切り板７５の内周７５ａに対する表示位置のずれが特に目立ちやすいので、見切り板７５の内周７５ａに対する表示画像の位置を精度よく位置合わせすることができる本発明の効果をより顕著に享受することができる。
【００８６】
（変形例３）
図１１は、変形例３に係る携帯型電子機器としての生体情報検出装置の断面図である。以下、この図を用いて変形例３の生体情報検出装置について説明する。なお、上記実施形態と同一の構成部位については、同一の番号を附し、重複する説明は省略する。
上記実施形態および変形例では、例えば図２に示すように、表示部７０上に配置され、表示部７０の表示領域７０ａに表示される画像の周縁部の一部を覆い隠して画像可視領域７７を形成する見切り板７５は、環状の遮光部材からなる一部品として備わる構成を説明したが、これに限定されるものではない。
【００８７】
例えば、図１１に示す本変形例の生体情報検出装置１Ｂ（機器本体１０Ｂ）は、胴部２１１およびガラス板（カバーガラス）２１２を備えるトップケース２１を含み、ガラス板２１２の真下に設けられた表示部７０の周縁部（図中、表示部７０の右端側および左端側）に、胴部２１１の一部であって、胴部２１１の外側から内側に向かってガラス板２１２と表示部７０との間にせり出す突出部２７５が形成されている。即ち、トップケース２１（ケース部）は、表示部７０上に配置され、表示部７０の表示領域の法線方向からの平面視において、表示領域と重なる重複部を有する突出部２７５を有している。これにより、表示部７０の表示領域に表示される画像は、突出部２７５の内周を見切りとして、その内周より内側の領域が画像可視領域となる。
本変形例の生体情報検出装置１Ｂによれば、胴部２１１の突出部２７５の内周２７５ａに対して、上記実施形態で説明した画像表示位置合わせを行うことにより、部品点数を抑えながら、比較的簡便に、且つ、精度のよい画像表示位置の位置合わせを行うことができる。
【００８８】
（変形例４）
図１２は、変形例４に係る画像表示位置合わせ方法を示すフローチャートである。
以下、画像表示位置合わせ方法の変形例について説明する。
図１２に示す本変形例の画像表示位置合わせ方法では、まず、ステップＳ３１において、生体情報検出装置の少なくとも機器本体を、画像表示位置合わせを行う調整装置の所定の位置にセットする。
次いで、ステップＳ３２において、調整装置が有する撮像装置（カメラ）により、表示部を中心とした機器（生体情報測定装置）の外形形状の情報、例えば、ケース部の輪郭情報を画像情報として取得する。なお、機器の外径形状の情報とは、ケース部のみの輪郭情報に限らず、例えばボタンなども含めた機器本体の外形形状の情報を含む。
次いで、画像情報として取得した機器の輪郭情報に、二値化処理などの画像処理を施すなどの公知の手法により、機器の重心位置を特定する（ステップＳ３３）。
【００８９】
次いで、機器（生体情報測定装置）の表示部を点灯し（ステップＳ３４）、デフォルト設定されている表示部の表示中心を表示させる（ステップＳ３５）。
次いで、ステップＳ３３で特定した機器の重心位置に対する、ステップＳ３５で表示させた表示部の表示中心のオフセットが、予め設定された許容範囲内にあるか否かを判定する。
機器の重心位置に対する表示部の表示中心のオフセットが許容範囲内であった場合（ステップＳ３６でＹＥＳ）、機器の重心に対する表示部の表示中心位置が適正範囲内と判断して、画像表示位置合わせ方法を終了する。
機器の重心位置に対する表示部の表示中心のオフセットが許容範囲から外れていた場合（ステップＳ３６でＮＯ）、オフセットを許容範囲内とするオフセット量を算出してオフセット調整処理を実行し（ステップＳ３７）、ステップＳ３６に戻って表示部の表示中心のオフセットが許容範囲内であるか否かを判定し、オフセットが許容範囲内になるまで繰り返す。
【００９０】
本変形例の画像表示位置合わせ方法によれば、例えばボタンなどを含めた機器（生体情報測定装置）の輪郭（外形形状）に対して、表示位置をバランス良く整えられる画像表示位置合わせを行うことができる。
【００９１】
なお、以上のように本発明の実施形態および変形例について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報検出装置等の構成、動作も、本実施形態で説明したものに限定されず、種々の変形実施が可能である。
【符号の説明】
【００９２】
１，１Ａ…携帯型電子機器としての生体情報検出装置、１０…機器本体、１５…バンド部、２０…ケース部、２１…トップケース、２２…ボトムケース、２５ａ，２５ｂ…ボタン、３０…検出部としてのセンサー部、３２…凸部、７０…表示部、７０ａ…表示領域、７５…突出部としての見切り板、７５ａ…内周、７５ｂ…外周、７５ｃ…透光領域、７７…画像可視領域、１０５…表示パターン、１５０，１５０Ａ…位置合わせパターン、１５１Ａ…第１直線、１５１Ｂ…第２直線、１５２ａ…第１位置合わせパターン、１５２ｂ…第２位置合わせパターン、１５３ａ…第３パターン、１５３ｂ…第４パターン、２００…処理部、２１０…信号処理部、２１１…胴部、２１２…ガラス板、２２０…拍動情報演算部、２２１…透光部、２２２…遮光部、２３０…表示制御部、２４０…記憶部、２５０…通信部、２５２…アンテナ、２７５…突出部、３１１…発光部、３１３…受光部、２２１１…検出窓。
【図１Ａ】
2017191123.tif 000003
【図１Ｂ】
2017191123.tif 000004
【図２】
2017191123.tif 000005
【図３】
2017191123.tif 000006
【図４】
2017191123.tif 000007
【図５】
2017191123.tif 000008
【図６】
2017191123.tif 000009
【図７Ａ】
2017191123.tif 000010
【図７Ｂ】
2017191123.tif 000011
【図７Ｃ】
2017191123.tif 000012
【図８】
2017191123.tif 000013
【図９】
2017191123.tif 000014
【図１０】
2017191123.tif 000015
【図１１】
2017191123.tif 000016
【図１２】
2017191123.tif 000017